(57)【特許請求の範囲】
【請求項１】
鋼構造物の塗装面の塗料の付着力をテストする密着子の固定治具において、
塗装面に吸着する磁石と、当該磁石を保持するとともに、腕金を支持するねじ部材と、塗装面を検査する略糸巻き状の密着子を把持する腕金とからなる固定治具であって、
前記ねじ部材は、当該ねじ部材の一端部に、前記磁石を固定させて保持し、また前記腕金を支持し、
当該腕金の一端部の長手方向には、スライド孔を有し、当該スライド孔に前記ねじ部材を貫通させ、かつ、この腕金の上から当該ねじ部材に締付自在なナットを螺着させ、また当該腕金の一端部は、前記スライド孔を通じて、当該ねじ部材に、当該ねじ部材の円周方向に回動自在、かつ、当該ねじ部材の半径方向に摺動自在に支持されており、当該腕金の他端部には、前記密着子の細径部を側面から把持する切り欠きが設けられていることを特徴とする、固定治具。
【請求項２】
鋼構造物の塗装面の塗料の付着力をテストする密着子の固定治具において、
塗装面に吸着する磁石と、当該磁石を保持するとともに、腕金を支持するねじ部材と、塗装面を検査する略糸巻き状の密着子を把持する腕金とからなる固定治具であって、
前記ねじ部材は、当該ねじ部材の一端部に、前記磁石を固定させて保持し、また前記腕金を支持し、
当該腕金の一端部には、貫通孔を有し、当該貫通孔に前記ねじ部材を貫通させ、かつ、この腕金の上から当該ねじ部材に締付自在なナットを螺着させ、また当該腕金の一端部は、前記貫通孔を通じて、当該ねじ部材に、当該ねじ部材の円周方向に回動自在に支持されており、当該腕金の他端部には、前記密着子の細径部を側面から把持する切り欠きが、当該ねじ部材の略円周方向に沿って設けられていることを特徴とする、固定治具。
【請求項３】
ねじ部材に支持されている前記腕金の一端部と、ねじ部材に保持されている前記磁石との間に、一枚又は複数枚の座金がねじ部材に被冠され、挟持されていることを特徴とする、請求項１又は２に記載の固定治具。
【請求項４】
前記ねじ部材に一端を係止し、他端を、前記腕金の切り欠きに挟持された密着子に係止した輪ゴムを設けたことを特徴とする、請求項１〜３のいずれかに記載の固定治具。
【請求項５】
前記磁石がネオジキャップ式の磁石である、請求項１〜４のいずれかに記載の固定治具。
【発明の詳細な説明】
【技術分野】
【０００１】
この発明は、鋼構造物の塗装面に、簡単確実に密着子を固定する固定治具に関するものである。
【背景技術】
【０００２】
近年、鉄塔等の鋼構造物に対するLLC(＝ライフサイクルコスト)を考慮した、設備改修が盛んに行われている。このような状況の中、鋼構造物の劣化診断が改修計画に大きく寄与している。この劣化診断の一項目に塗料の付着力試験がある。
【０００３】
この試験は、塗装面の対象となる部位に、ドーリという付着力を試験するための密着子を接着し、一定時間経過後、接着された当該密着子を引っ張って、塗装面から剥がすことで対象物の塗装面の塗料の付着力を測定する。いわゆるアドヒージョンテストと呼ばれるものである。このテストの概要については特許文献１の段落[００４２]〜[００４３]に、「<付着力（表面接合力）>」のテストとして記載されている。
【特許文献１】特開２００４−３３２４５９
【０００４】
このアドヒージョンテストにおいて、例えば、図８に示すように、密着子１を鋼構造物の塗装面に固定する際に使用する治具として、ドーリクランプＣがある。このドーリクランプＣは、塗装面が金属であるときに使用可能な治具であり、ドーリクランプＣに設けられている磁石１５により、対象物の塗装面に吸着し、また当該ドーリクランプＣに設けられている腕金１６にて、密着子１を塗装面に固定させる治具である。
【発明の開示】
【発明が解決しようとする課題】
【０００５】
しかしながら、鋼構造物の塗装面の付着力を測定するために、密着子１を塗装面に接着剤で接着する場合、高所での作業になる。ところで、ドーリクランプＣは、塗装面との固定に、例えばフェライト製の永久磁石を使用しているため、磁石１５の吸着力が弱く、そのため、密着子１及びドーリクランプＣの落下に備えて、落下物対策を施さなければならない。
【０００６】
また、ドーリクランプＣは図８に示すように、磁石１５が底面部に設けられた本体１７から、腕金１６が水平方向に突出するように設けられており、腕金１６に支持されたねじ部材１８の先端を密着子１の上面に当接させて、密着子１を塗装面に固定させる構成となっている。そのため、ドーリクランプＣを塗装面に固定させたままの状態で、密着子１にテーピングを施し、ドーリクランプＣなしで塗装面に密着子１を固定させようとしても、ドーリクランプＣのねじ部材１８や腕金１６が邪魔になり、密着子１にテーピングを施すことができず、ドーリクランプＣを塗装面から外すことができない。
【０００７】
従って、ドーリクランプＣを用いて密着子１を塗装面に固定させ、その後、ドーリクランプＣを外し、密着子１にテーピングを施して塗装面に固定させるという一連の作業を１人の作業員で行うことができない。そのため作業は、通常２人１組で行うが、２人がかりで作業を行っても、作業中に密着子１の位置がずれて動いてしまうことがあり、その場合には塗装面と密着子１とを接着させる接着剤が塗装表面に広がってしまう。
【０００８】
また上記したように、密着子１やドーリクランプＣが誤って落下したり、密着子１の位置がずれないように注意しながら、２人１組の作業員が慎重に作業を行う必要があるため、一連の作業に時間がかかり、特に測定箇所が多く、多数の密着子１を塗装面に固定させなければならない場合には、非常に時間がかかる。
【０００９】
この発明は、上記従来技術を考慮したものであって、鉄塔等の鋼構造物の塗装面に、安全確実に密着子を固定する固定治具の提供を目的とするものである。
【課題を解決するための手段】
【００１０】
前記目的を達成するため、請求項１の発明では、鋼構造物の塗装面の塗料の付着力をテストする密着子の固定治具において、
塗装面に吸着する磁石と、当該磁石を保持するとともに、腕金を支持するねじ部材と、塗装面を検査する略糸巻き状の密着子を把持する腕金とからなる固定治具であって、
前記ねじ部材は、当該ねじ部材の一端部に、前記磁石を固定させて保持し、また前記腕金を支持し、
当該腕金の一端部の長手方向には、スライド孔を有し、当該スライド孔に前記ねじ部材を貫通させ、かつ、この腕金の上から当該ねじ部材に締付自在なナットを螺着させ、また当該腕金の一端部は、前記スライド孔を通じて、当該ねじ部材に、当該ねじ部材の円周方向に回動自在、かつ、当該ねじ部材の半径方向に摺動自在に支持されており、当該腕金の他端部には、前記密着子の細径部を側面から把持する切り欠きが設けられている、固定治具とした。
【００１１】
請求項２の発明では、鋼構造物の塗装面の塗料の付着力をテストする密着子の固定治具において、
塗装面に吸着する磁石と、当該磁石を保持するとともに、腕金を支持するねじ部材と、塗装面を検査する略糸巻き状の密着子を把持する腕金とからなる固定治具であって、
前記ねじ部材は、当該ねじ部材の一端部に、前記磁石を固定させて保持し、また前記腕金を支持し、
当該腕金の一端部には、貫通孔を有し、当該貫通孔に前記ねじ部材を貫通させ、かつ、この腕金の上から当該ねじ部材に締付自在なナットを螺着させ、また当該腕金の一端部は、前記貫通孔を通じて、当該ねじ部材に、当該ねじ部材の円周方向に回動自在に支持されており、当該腕金の他端部には、前記密着子の細径部を側面から把持する切り欠きが、当該ねじ部材の略円周方向に沿って設けられている、固定治具とした。
【００１２】
請求項３の発明では、ねじ部材に支持されている前記腕金の一端部と、ねじ部材に保持されている前記磁石との間に、一枚又は複数枚の座金がねじ部材に被冠され、挟持されている、請求項１又は２に記載の固定治具とした。
【００１３】
請求項４の発明では、前記ねじ部材に一端を係止し、他端を、前記腕金の切り欠きに挟持された密着子に係止した輪ゴムを設けた、請求項１〜３のいずれかに記載の固定治具とした。
【００１４】
請求項５の発明では、前記磁石がネオジキャップ式の磁石である、請求項１〜４のいずれかに記載の固定治具とした。
【発明の効果】
【００１５】
請求項１の発明によれば、腕金によって密着子の細径部を側面から把持する構成としたため、当該固定治具によって密着子が塗装面に固定されている状態のままで、密着子にテーピングを施すことができ、テーピング後は当該固定治具を密着子の側面から外すことができる。そのため、密着子を誤って地面に落下させることなく、塗装面への密着子の固定を、安全確実に行うことができる。また従来、２人１組の作業員で、密着子やドーリクランプが落下等しないように注意しながら慎重に行っていた一連の作業を、１人の作業員で行うことができるようになり、作業時間を短縮でき、かつ労力を軽減できる。
【００１６】
請求項２の発明によれば、密着子の細径部を側面から把持する腕金の切り欠きを、ねじ部材の略円周方向に沿って設ける構成としたため、腕金を回動させるだけで、密着子の細径部を側面から把持したり、密着子から外したりすることができ、便宜である。
【００１７】
請求項３の発明によれば、ねじ部材に支持されている腕金の一端部と、ねじ部材に保持されている磁石との間に、一枚又は複数枚の座金を挟持可能な構成としたため、挟持させる座金の枚数を変更することで、腕金の一端部を支持する位置を変更することができる。そのため、密着子の高さに合わせて、最適な位置で密着子を把持することが可能となる。また、磁石と腕金との間に座金を挟持させることで、磁石の磁力による影響を弱め、腕金の回動操作をスムーズに行うことが可能となる。
【００１８】
請求項４の発明によれば、ねじ部材に一端を係止し、他端を腕金の切り欠きに挟持された密着子に係止する輪ゴムを有する構成とすることにより、密着子が切り欠き内で動かないようにする。そのため、磁力によって塗装面に吸着している固定治具によって固定されている密着子を、誤って地面に落下させることなく、塗装面への密着子の固定を、より安全確実に行うことができる。
【００１９】
請求項５の発明によれば、塗装面に吸着する磁石として、非常に強い磁力を有するネオジキャップ式の磁石を用いる構成としたため、塗装面が湾曲しており吸着しづらい鋼管等であっても、密着子の固定を維持することができ、密着子を誤って地面に落下させることなく、安全確実に作業を行うことができる。
【発明を実施するための最良の形態】
【００２０】
この発明は、鋼構造物の塗装面の塗料の付着力をテストする密着子の固定治具において、塗装面に吸着する磁石と、当該磁石を保持するとともに、腕金を支持するねじ部材と、塗装面を検査する略糸巻き状の密着子を把持する腕金とからなる固定治具であって、前記ねじ部材は、当該ねじ部材の一端部に、前記磁石を固定させて保持し、また前記腕金を支持し、当該腕金の一端部の長手方向には、スライド孔を有し、当該スライド孔に前記ねじ部材を貫通させ、かつ、この腕金の上から当該ねじ部材に締付自在なナットを螺着させ、また当該腕金の一端部は、前記スライド孔を通じて、当該ねじ部材に、当該ねじ部材の円周方向に回動自在、かつ、当該ねじ部材の半径方向に摺動自在に支持されており、当該腕金の他端部には、前記密着子の細径部を側面から把持する切り欠きが設けられている構成とすることにより、密着子を誤って地面に落下させることなく、塗装面への密着子の固定を、安全確実に行うことができる。
【実施例１】
【００２１】
図１はこの発明に係る固定治具Ａを示す正面図であり、図２はこの発明に係る固定治具Ａを示す上面図である。図１及び図２は固定治具Ａと密着子１が鋼構造物の塗装面に固定されている状態を示している。密着子１は、ドーリであり、密着子１の、鋼構造物の塗装面と接する面に、接着剤を塗布し、密着子１を塗装面に接着し、一定時間経過後に、密着子１を塗装面から剥がして、塗装面の塗料の付着力を測定する。固定治具Ａは、前記密着子１を塗装面に固定させるもので、ねじ部材２、磁石３、座金４、腕金５、留め具６及び蝶ナット７とから成る。
【００２２】
ねじ部材２は、例えば、防錆を考慮してステンレス製であって、固定治具Ａにおいて支柱としての役割を果たし、このねじ部材２に、ねじ部材２の頭部を下にして、磁石３、複数枚の座金４、腕金５、留め具６を順番に貫通させて、最後に蝶ナット７をねじ部材２に螺着させて固定治具Ａを形成する。
【００２３】
磁石３は、中心にねじ部材２を貫通し、下端に段部を有する貫通孔が設けられており（図示省略）、円柱あるいは円盤形状である。これにより、ねじ部材２の頭部が磁石３の貫通孔の段部に嵌合される。また磁石３は、ネオジム磁石製の磁石本体３aと、キャップ状の枠体３bから成るネオジキャップ式の磁石である。例えば、吸着力が約14キログラム、あるいは約２３キログラムのネオジキャップ式の磁石を用いる。固定治具Ａは、磁石３の磁力による吸着力で、鋼構造物の塗装面に密着する構成であるため、磁力の強い磁石であれば、塗装面が湾曲していて密着しづらい鋼管等であっても、密着子１の固定を維持することができ、密着子１を誤って地面に落下させることなく、安全確実に作業を行うことができる。
【００２４】
座金４は、中心にねじ部材２を貫通する貫通孔が設けられており（図示省略）、円盤形状である。座金４は、例えば鉄製、又は防錆を考慮してステンレス製である。固定治具Ａでは、図１に示す通り、磁石３と腕金５との間に複数枚の座金４が挟持されている。挟持させる座金４の枚数を変更することで、腕金５の一端部を支持する位置を変更することができる。そのため密着子１の高さに合わせて、最適な位置で腕金５に密着子１を把持させることが可能となる。また、磁石３と腕金５の間に座金４を挟持させることで、磁石３の磁力による影響を弱め、腕金５の回動操作をスムーズに行うことが可能となる。
【００２５】
腕金５は、例えばスチール（＝鋼）製である。また腕金５は、ねじ部材２から水平方向に突出するように設けられ、略中央部で下部方向に屈曲し、再び水平方向に突出した板状である。また、図２に示すように、腕金５の一端部の長手方向には、略だ円形のスライド孔８が設けられている。このスライド孔８は、ねじ部材２を貫通させ、また、ねじ部材２を貫通させた状態で腕金５をねじ部材２の円周方向に回動可能、及びねじ部材２の半径方向に摺動可能な内径を有している。また、腕金５の一端部には、貫通孔１９が設けられている。この貫通孔１９に、ワイヤやひもの一端を結びつけ、他端を作業員のベルト等に結びつけて（図示省略）、固定治具Ａの落下を防止する。
【００２６】
また腕金５の他端部には、密着子１を側面から把持するため、切り欠き９が設けられている。そのため、腕金５の他端部は略「コ」の字型の形状となっている。このように、腕金５によって密着子１を側面から把持する構成としたため、固定治具Ａによって密着子１が塗装面に固定されている状態のままで、密着子１にビニールテープ等でテーピングを施すことができ、テーピング完了後は、固定治具Ａを密着子１の側面から抜いて外すことができる。そのため、塗装面への密着子１の固定を、密着子１を誤って地面に落下させることなく、安全確実に行うことができる。
【００２７】
留め具６は、前記ねじ部材２を貫通させるリング１０と、輪ゴム１１等を通すリング１２と、密着子１の落下を防止するため、密着子１の適宜の箇所に結びつけられたワイヤ１３を、留め具６に連結するリング１４を有している。輪ゴム１１をねじ部材２と、密着子１にリング１２を通して引っ掛けることで、密着子１が塗装面からずれないように固定する。また、ワイヤ１３及びリング１４を用いて、密着子１と留め具６とを連結する構成にすることで、密着子１の落下を防止する。なお、リング１４は、ハンドル２０を操作することによって、開閉可能なリングである。従って、リング１４を開閉させることによって、ワイヤ１３の一端を外したり、取り付けたりすることができる。
【００２８】
蝶ナット７は、例えば、防錆を考慮してステンレス製である。ねじ部材２に磁石３、複数枚の座金４、腕金５を貫通させた後に、ねじ部材２に螺着させることで、腕金５が、スライド孔８を支点に摺動又は回動しないように、腕金５を締め付けて、腕金５の位置を固定する。従って逆に、蝶ナット７を緩めれば、腕金５はスライド孔８を支点に摺動又は回動自在となる。
【００２９】
次に、密着子１を鋼構造物の塗装面に固定させる作業手順に沿って、固定治具Ａの使用方法を説明する。まず、固定治具Ａの貫通孔１９にワイヤ等の一端を結びつけ、他端を作業員のベルト等に結びつけて、固定治具Ａの落下防止対策を施す。そして、固定治具Ａの腕金５の切り欠き９で密着子１の細径部を側面から把持させる。それから、輪ゴム１１をねじ部材２と、密着子１にリング１２を通して引っ掛け、密着子１が切り欠き９内で動かないようにする。またワイヤ１３及びリング１４を用いて、密着子１と留め具６とを連結する。このようにして、固定治具Ａに密着子１をセットし、図１に示すように、鋼構造物の塗装面の測定箇所近傍に、磁石３の磁力によって固定治具Ａを吸着させ、これにより、密着子１を塗装面に固定する。次に、密着子１と塗装面とを接着する２液型の接着剤を練り混ぜる。そして、磁石３の磁力によって塗装面に吸着させていた固定治具Ａを剥がして、練り混ぜた接着剤を密着子１の、塗装面と接する面に塗布し、測定箇所の塗装面に固定治具Ａ及び密着子１を再び固定する。
【００３０】
次に、輪ゴム１１を固定治具Ａから取り外し、図３に示すように、鋼構造物ごと密着子１の上面からビニールテープ２１等でテーピングを施し、密着子１を塗装面に固定する。それから、ワイヤ１３をリング１４から取り外し、ワイヤ１３の一端を測定対象の鋼構造物の適宜の箇所に結びつけて、密着子１の落下を防止する。
【００３１】
次に図４に示すように、蝶ナット７を緩めて、スライド孔８に沿って、腕金５を水平方向に摺動させ、密着子１から離間させる。それから図５に示すように、腕金５を、ねじ部材２を中心に回動させ、密着子１に接触しないように、確実に距離をとってから固定治具Ａを塗装面から剥がす。
【００３２】
上記のように固定治具Ａを構成することによって、密着子１が塗装面に固定されている状態のままで、密着子１にテーピングを施すことができ、テーピング後は固定治具Ａを密着子１の側面から外すことができる。そのため、密着子１を誤って地面に落下させることなく、塗装面への密着子１の固定を、安全確実に行うことができる。また従来、２人１組の作業員で、密着子１やドーリクランプＣが落下等しないように注意しながら慎重に行っていた一連の作業を、１人の作業員で行うことができるようになり、作業時間を短縮でき、かつ労力を軽減できる。
【００３３】
上記実施例では、ねじ部材２に磁石３を通して、磁石３を保持し、この上から座金４、腕金５を通しているが、この構成に限定されるものではない。ねじ部材２の一端を磁石に埋め込んで固定し、磁石の背面からねじ部材２の他端を突出させ、このねじ部材２に座金４、腕金５を通す構成としても良い。
【実施例２】
【００３４】
図６は、この発明に係る固定治具Ｂを示す正面図である。図６は固定治具Ｂと密着子１が鋼構造物の塗装面に固定されている状態を示している。固定治具Ｂは、密着子１を塗装面に固定させるもので、ねじ部材２、磁石３、座金４、腕金２２、留め具６及び蝶ナット７とから成る。
【００３５】
腕金２２は、例えばスチール（＝鋼）製である。また腕金２２は、ねじ部材２から水平方向に突出するように設けられ、略中央部で下部方向に屈曲し、再び水平方向に突出した板状である。また、図６に示すように、腕金２２の一端部には、貫通孔２３が設けられている。この貫通孔２３は、ねじ部材２を貫通させ、また、ねじ部材２を貫通させた状態で腕金２２を回動可能な内径を有している。また、図７に示すように、腕金２２の一端部には、貫通孔１９が設けられている。
【００３６】
また腕金２２の他端部には、図７に示すように、密着子１を側面から把持するため、切り欠き２４が、ねじ部材２の略円周方向に沿って設けられている。このような構成とすることによって、腕金２２を回動させるだけで、密着子１の細径部を側面から把持したり、密着子１から外すことができる。
【００３７】
なお、固定治具Bの上記以外の構成及び作用は、実施例１の固定治具Aと同様である。また、固定治具Ｂは、鋼構造物ごと密着子１の上面からビニールテープ２１等でテーピングを施した際に、密着子１に高さがあることによって、ビニールテープ２１と鋼構造物との間に隙間が生じ、腕金２２を回動させてもビニールテープ２１に引っ掛からない場合に利用できる。
【図面の簡単な説明】
【００３８】
【図１】この発明に係る固定治具Ａを示す正面図である。
【図２】この発明に係る固定治具Ａを示す上面図である。
【図３】この発明に係る固定治具Ａによって密着子が把持され、塗装面に、固定されている密着子に、テーピングが施された状態を示す斜視図である。
【図４】この発明に係る固定治具Ａの腕金を摺動させて、密着子から離間させた状態を示す正面図である。
【図５】この発明に係る固定治具Ａの腕金を回動させて、密着子から離間させた状態を示す上面図である。
【図６】この発明に係る固定治具Ｂを示す正面図である。
【図７】この発明に係る固定治具Ｂの腕金を回動させて、密着子を把持させたり、密着子から離間させた状態を示す上面図である。
【図８】従来のドーリクランプＣの構成を示す正面図である。
【符号の説明】
【００３９】
Ａ：固定治具、Ｂ：固定治具、Ｃ：ドーリクランプ
１：密着子、２：ねじ部材、３：磁石、４：座金、５：腕金、６：留め具、７：蝶ナット、８：スライド孔、９：切り欠き、１０：リング、１１：輪ゴム、１２：リング、１３：ワイヤ、１４：リング、１５：磁石、１６：腕金、１７：本体、１８：ねじ部材、１９：貫通孔、２０：ハンドル、２１：ビニールテープ、２２：腕金、２３：貫通孔、２４：切り欠き
【図１】
0005451415.tif 000002
【図２】
0005451415.tif 000003
【図３】
0005451415.tif 000004
【図４】
0005451415.tif 000005
【図５】
0005451415.tif 000006
【図６】
0005451415.tif 000007
【図７】
0005451415.tif 000008
【図８】
0005451415.tif 000009